(57)【要約】【課題】開口等を有する壁面でも安定して、壁面に沿って移動可能なタイルの劣化診断用移動装置を提供する。【解決手段】移動装置１０は、固定フレーム１２と、固定フレーム１２の上部および下部に配された第一車輪２１および第二車輪２２と、固定フレーム１２の上方に連結され、固定フレーム１２に対して上下方向に進退可能に配された上部フレーム１４と、上部フレーム１４の先端１４ａにおいて壁面Ｗ側に配された第三車輪２３と、固定フレーム１２の下方に連結され、固定フレーム１２に対して上下方向に進退可能に配された下部フレーム１６と、下部フレーム１６の先端１６ａにおいて壁面Ｗ側に配された第四車輪２４と、を備え、上部フレーム１４の長さおよび下部フレーム１６の長さは、第一車輪２１、第二車輪２２、第三車輪２３、および第四車輪２４のうち少なくとも二つの車輪が壁面Ｗに当接可能となる長さである。【選択図】図１
2018136139.tif 000002
【特許請求の範囲】
【請求項１】
開口または凹部が形成されている壁面に沿って移動する移動装置であって、
前記壁面に対して対向するように配置可能に構成された固定フレームと、
前記固定フレームに固定され、前記壁面に貼設されたタイルの劣化を診断する診断装置と、
前記固定フレームの上部において前記壁面側に配された第一車輪と、
前記固定フレームの下部において前記壁面側に配された第二車輪と、
前記固定フレームの上方に連結され、該固定フレームに対して上下方向に進退可能に配された上部フレームと、
前記上部フレームの先端において前記壁面側に配された第三車輪と、
前記固定フレームの下方に連結され、該固定フレームに対して上下方向に進退可能に配された下部フレームと、
前記下部フレームの先端において前記壁面側に配された第四車輪と、
を備え、
上下方向において、前記上部フレームの長さおよび前記下部フレームの長さは、前記第三車輪と前記第四車輪との間に前記開口または前記凹部が位置したときに前記第一車輪、前記第二車輪、前記第三車輪、および前記第四車輪のうち少なくとも二つの車輪が前記壁面に当接可能となる長さであることを特徴とするタイルの劣化診断用移動装置。
【発明の詳細な説明】
【技術分野】
【０００１】
本発明は、タイルの劣化診断用移動装置に関する。
【背景技術】
【０００２】
例えば建物の外壁や床に貼設されたタイルは、経年劣化等により浮き・剥離や割れが発生し、特に外壁に貼設されたタイルは、浮き・剥離、割れによって剥落すると大きな事故につながるおそれがある。
【０００３】
このため、従来、建物の外壁に貼設されたタイルの劣化を診断（検査、調査）することが行なわれ、この種のタイルの劣化診断を行う手法として、外観目視法、打音検査法、反発法、赤外線診断法等が用いられている。
【０００４】
上述の手法のうち、打音検査法は、熟練した検査員がテストハンマーでタイル面を叩き、劣化部と健全部の微妙な音の違いを聞き分けることにより、外観では判別しにくいタイルの浮き・剥離の有無を比較的容易に判別できるため、タイルの劣化診断手法として多用されている。
【０００５】
一方、打音検査法と同様、劣化部と健全部の微妙な音の違いによって劣化部分を特定するタイルの劣化診断方法として、擦過法も多用されている（例えば、特許文献１参照）。
擦過法は、例えば、直径２０ｍｍ程度の金属球を検査対象面のタイル面に押し付け、タイル面を金属球で擦るように移動させ、その時に発生する音（擦過音）からタイルの浮き・剥離等の劣化の有無を判別することができ、また、劣化部分を特定することができる。
【０００６】
さらに、この擦過法は、金属球を検査対象面のタイル面に押し付けた状態を維持しつつ移動することによる擦過音を捉える手法であるため、打音検査法と比較し、ロボット等で自動化を図りやすい。すなわち、ロボット等を操作し、マイクロフォンで録音された擦過音を検査員がコンピュータ等で分析することで診断を行うことができ、検査員の経験や資質といった個人差の影響が少なく、高精度で診断を行うことが可能になる。
【先行技術文献】
【特許文献】
【０００７】
【特許文献１】実開平７−３４３６７号公報
【発明の概要】
【発明が解決しようとする課題】
【０００８】
上述の擦過法に基づいて診断用のロボット（タイルの劣化診断ロボット、以下、「診断ロボット」とする場合がある）を用い、擦過法でタイルの劣化診断を行う場合、診断ロボットは、パラペットから吊下げられ、診断ロボットに設けられた車輪で壁面に対して支持され、該壁面に沿って移動可能な機構を備えている。しかしながら、従来の診断ロボットでは、開口等に車輪が差し掛かると、壁からの支持力を失うことになり、診断ロボットが不安定になるため、診断することができなくなるという問題があった。したがって、例えばマンション等のバルコニーがある面や、窓等の開口を有する壁面に対して診断ロボットを使用することは困難であった。
【０００９】
本発明は、上記事情に鑑みてなされたものであり、開口等を有する壁面でも安定して、壁面に沿って移動可能なタイルの劣化診断用移動装置を提供する。
【課題を解決するための手段】
【００１０】
請求項１に記載のタイルの劣化診断用移動装置は、開口または凹部が形成されている壁面に沿って移動する移動装置であって、前記壁面に対して対向するように配置可能に構成された固定フレームと、前記固定フレームに固定され、前記壁面に貼設されたタイルの劣化を診断する診断装置と、前記固定フレームの上部において前記壁面側に配された第一車輪と、前記固定フレームの下部において前記壁面側に配された第二車輪と、前記固定フレームの上方に連結され、該固定フレームに対して上下方向に進退可能に配された上部フレームと、前記上部フレームの先端において前記壁面側に配された第三車輪と、前記固定フレームの下方に連結され、該固定フレームに対して上下方向に進退可能に配された下部フレームと、前記下部フレームの先端において前記壁面側に配された第四車輪と、を備え、上下方向において、前記上部フレームの長さおよび前記下部フレームの長さは、前記第三車輪と前記第四車輪との間に前記開口または前記凹部が位置したときに前記第一車輪、前記第二車輪、前記第三車輪、および前記第四車輪のうち少なくとも二つの車輪が前記壁面に当接可能となる長さであることを特徴とする。
【００１１】
上述の構成によれば、上部フレームと下部フレームの各々が固定フレームの上方と下方の各々に延び、第一車輪、第二車輪、第三車輪、および第四車輪のうち少なくとも二つの車輪が壁面に当接可能となる長さに設定されることで、上下方向において、第一車輪および第二車輪の間隔よりも大きい開口や凹部等を有する壁面に対しても、少なくとも二つの車輪が壁面に当接し、壁面からの支持力が得られるので、壁面に沿って安定して移動可能になる。
【発明の効果】
【００１２】
本発明に係るタイルの劣化診断用移動装置は、開口や凹部等を有する壁面でも安定して、壁面に沿って移動することができる。
また、本発明に係るタイルの劣化診断用移動装置によれば、上述のように開口や凹部を有する壁面でも安定して移動するので、このような壁面に貼設されたタイルの劣化を診断することができる。
【図面の簡単な説明】
【００１３】
【図１】本発明を適用したタイルの劣化診断用移動装置の構成を示す図であって、（ａ）は正面図であり、（ｂ）は側断面図である。
【図２】本発明を適用したタイルの劣化診断用移動装置の構成を示す図であって、（ａ）は正面図であり、（ｂ）は側断面図である。
【図３】本発明を適用したタイルの劣化診断用移動装置の構成を示す図であって、（ａ）は正面図であり、（ｂ）は側断面図である。
【図４】本発明を適用したタイルの劣化診断用移動装置の構成を示す図であって、（ａ）は正面図であり、（ｂ）は側断面図である。
【発明を実施するための形態】
【００１４】
以下、本発明を適用したタイルの劣化診断用移動装置の実施形態について説明する。なお、以下の説明で参照する図面は模式的なものであり、長さ、幅及び厚みの比率等は実際のものと同一とは限らず、適宜変更することができる。
【００１５】
図１に示すように、タイルの劣化診断用移動装置１０（以下、単に「移動装置１０」とする）は、開口Ａが形成されている壁面Ｗに沿って移動する移動装置であって、少なくとも固定フレーム１２、診断装置３０、上部フレーム１４、下部フレーム１６、第一車輪２１、第二車輪２２、第三車輪２３、および第四車輪を備えている。
【００１６】
壁面Ｗはマンション等の建物のいわゆる外壁であり、壁面Ｗには外壁の保護や装飾等の目的で不図示のタイルが貼設されている。開口Ａは、建物の各階層のバルコニーや、窓等によるものであり、図１に例示するように複数形成されている。
以下では、壁面Ｗに沿った方向を「上下方向」とし、上下方向に直交する方向を「横方向」とする。
【００１７】
固定フレーム１２は、移動装置１０の本体として機能するフレームであり、壁面Ｗに対して対向するように配置可能に構成され、診断装置３０をはじめとして、壁面Ｗに貼設されたタイルの劣化を診断するために必要な構成を備えている。具体的には、固定フレーム１２における壁面Ｗ側とは反対側（すなわち、屋外側）には、側面視ドーム型のカバー３２が配され、カバー３２の内部に診断装置３０および診断装置３０を駆動させるための駆動装置（図示略）が設けられている。
【００１８】
診断装置３０は、固定フレーム１２に配置された擦過棒３４と、擦過棒３４を支持する支持部３６と、擦過棒３４を所定の方向に進退移動させるための擦過棒進退機構３８と、診断結果処理部（図示略）と、を備えている。
擦過棒３４は、横方向に延びる軸部と、該軸部における壁面Ｗ側の先端に例えば２０ｍｍ程度の直径で形成された金属球と、を備えている。
支持部３６は、擦過棒３４の軸部に挿通され、擦過棒進退機構３８に連結されている。
擦過棒進退機構３８は、固定フレーム１２に連結され、支持部３６に挿通された擦過棒３４を横方向に進退させ、擦過棒３４を壁面Ｗに対して近接離間させることができるように構成されている。
診断結果処理部は、擦過棒進退機構３８に接続され、横方向への擦過棒３４の進退移動に連動して擦過棒３４からの擦過音等のタイルに関する劣化情報を受け取り、適宜処理する。
【００１９】
診断装置３０は、壁面Ｗに貼設されたタイルの劣化を診断する機能を有していれば、特に限定されない。
【００２０】
カバー３２の上方には、ワイヤー連結部４０が取り付けられている。ワイヤー連結部４０には、建物の屋上のパラペット（図示略）等から吊下されたワイヤーＥの下方向における先端が連結されている。このような構成により、移動装置１０は、建物の屋上のパラペット等から吊下可能とされている。
【００２１】
上部フレーム１４は、固定フレーム１２の上部に連結され、上下方向に進退可能に配されている。具体的には、上部フレーム１４は、平面視矩形のフレーム部材であり、固定フレーム１２における壁面Ｗ側に接しつつ、上下方向にスライド可能に配設されている。
【００２２】
下部フレーム１６は、固定フレーム１２の下部に連結され、上下方向に進退可能に配されている。具体的には、下部フレーム１６は、平面視矩形のフレーム部材であり、固定フレーム１２における壁面Ｗ側に接しつつ、上下方向にスライド可能に配設されている。
【００２３】
なお、上部フレーム１４および下部フレーム１６において、鉛直方向に延びる部材に連結され且つ幅方向に延在する部材は省略可能である。すなわち、移動装置１０は、平面視（図１から図４までの各図の（ａ）のように壁面Ｗを正面視した場合）Ｈ型のフレームを備えていてもよい。
【００２４】
第一車輪２１は、固定フレーム１２の上部において壁面Ｗ側に配され、第二車輪２２は、固定フレーム１２の下部において壁面Ｗ側に配されている。上述のように、移動装置１０が建物の屋上のパラペット等から吊下された際に、第一車輪２１および第二車輪２２は、壁面Ｗに接し、壁面Ｗに沿って回動可能な車輪である。
【００２５】
第三車輪２３は、上部フレーム１４の先端１４ａにおいて壁面Ｗ側に配されている。
第四車輪２４は、下部フレーム１６の先端１６ａにおいて壁面Ｗ側に配置されている。第一車輪２１および第二車輪２２と同様に、第三車輪２３および第四車輪２４は、移動装置１０が建物の屋上のパラペット等から吊下された際に、壁面Ｗに接し、壁面Ｗに沿って回動可能な車輪である。
【００２６】
上部フレーム１４と下部フレーム１６の各々は、移動装置１０が建物の屋上のパラペット等から吊下される前に固定フレーム１２の上部と下部の各々に対して所定の相対位置でネジ止め等により固定されている。
前述の所定の相対位置とは、上下方向において、第三車輪２３と第四車輪２４との間に開口Ａが位置したときに第一車輪２１、第二車輪２２、第三車輪２３、および第四車輪２４のうち少なくとも二つの車輪（図１（ｂ）では、第一車輪２１と第四車輪２４）が壁面Ｗに当接可能となる上部フレーム１４および下部フレーム１６の長さが達成され得る位置が全て該当する。このような所定の相対位置は、上下方向における開口Ａの大きさ、開口Ａ同士の間の壁面Ｗの大きさによって適宜設定されている。
【００２７】
上述の移動装置１０を用いて建物の壁面Ｗ等に貼設されたタイルの浮き・剥離、割れ等、劣化の有無を診断する際には、図１に示すように、ワイヤー連結部４０をワイヤーＥで支持し、第一車輪２１、第二車輪２２、第三車輪２３、第四車輪２４、および擦過棒３４を壁面Ｗ側に配置する。
【００２８】
次に、診断開始となる所定の位置で擦過棒進退機構３８を駆動させ、擦過棒３４を横方向に進行させ、壁面Ｗに押し付ける。その状態から、移動装置１０を壁面Ｗに沿って上下方向に（基本的には下から上へ）移動させつつ、擦過棒３４の金属球が壁面Ｗのタイルに押し付けられながら上下方向に進退移動することで発生する擦過音を診断結果処理部で処理し、タイルの浮き・剥離等の劣化の有無を診断する。
【００２９】
本実施形態の移動装置１０では、壁面Ｗに沿って上下方向に移動しつつ、上述のようにタイルの浮き・剥離等の劣化の有無を診断する際に、上下方向において、第三車輪２３と第四車輪２４との間に開口Ａが位置したときに第一車輪２１、第二車輪２２、第三車輪２３、および第四車輪２４のうち少なくとも二つの車輪が壁面Ｗに当接するように、上部フレーム１４および下部フレーム１６が固定フレーム１２の上方および下方に延出している。
【００３０】
例えば、図２に例示するように、複数の開口Ａのうち開口ＡＸが第三車輪２３と第四車輪２４との間に位置した場合には、第三車輪２３と第二車輪２２は壁面Ｗに接触していないが、第一車輪２１と第四車輪２４がそれぞれ接点Ｃにおいて壁面Ｗおよびタイルに接し、壁からの支持力を二箇所で得られる。このように壁からの支持力を二箇所から得ることにより、移動装置１０および診断装置３０は安定する。
【００３１】
図３に例示するように、移動装置１０が図２に示す相対位置より上昇し、開口Ａのうち開口ＡＸが第三車輪２３と第一車輪２１との間に位置し、かつ開口ＡＸの直上の開口ＡＹが第二車輪２２と第四車輪２４との間に位置した場合には、第一車輪２１、第二車輪２２、第三車輪２３、および第四車輪２４の全てがそれぞれ接点Ｃにおいて壁面Ｗに接し、壁からの支持力を四箇所で得られる。このように壁からの支持力を四箇所から得ることにより、移動装置１０および診断装置３０は安定する。
【００３２】
図４に例示するように、移動装置１０が図３に示す相対位置よりさらに上昇し、複数の開口Ａのうち開口ＡＹが第三車輪２３と第四車輪２４との間に位置した場合には、第一車輪２１と第四車輪２４は壁面Ｗに接触していないが、第三車輪２３と第二車輪２２がそれぞれ接点Ｃにおいて壁面Ｗおよびタイルに接し、壁からの支持力を二箇所で得られる。このように壁からの支持力を二箇所から得ることにより、移動装置１０および診断装置３０は引き続き安定する。
したがって、本実施形態の移動装置１０によれば、壁からの支持力を少なくとも二箇所から得ることによって、開口Ａを有する壁面Ｗでも安定して、壁面に沿って移動し、タイルの浮き・剥離等の劣化の有無を診断することができる。
【００３３】
以上、本発明の好ましい実施形態について詳述したが、本発明は係る特定の実施形態に限定されるものではなく、特許請求の範囲内に記載された本発明の要旨の範囲内において、種々の変更が可能である。
【００３４】
例えば、壁面Ｗには、開口Ａの他に凹部が形成されていても構わない。このような場合であっても、第一車輪２１、第二車輪２２、第三車輪２３、および第四車輪２４のうち少なくとも二つの車輪が壁面Ｗに当接するように、上部フレーム１４および下部フレーム１６が固定フレーム１２の上方および下方に延出していれば、いずれかの車輪が凹部に嵌る等によって移動装置１０が不安定になることもなく、上述の実施形態と同様の効果が得られる。
なお、建物の外壁に開口Ａが一つ形成されている場合であっても、移動装置１０は適用可能である。
【００３５】
また、上下方向における建物の開口Ａの大きさや開口Ａ同士の間の壁面Ｗの大きさにばらつきがある場合には、固定フレーム１２の上方に延出する上部フレーム１４の長さ、および固定フレーム１２の下方に延出する下部フレーム１６の長さはリモートコントロール等によって適宜調整であってもよい。
【符号の説明】
【００３６】
１０  移動装置（タイルの劣化診断用移動装置）
１２  固定フレーム
１４  上部フレーム
１６  下部フレーム
２１  第一車輪
２２  第二車輪
２３  第三車輪
２４  第四車輪
Ｗ  壁面
【図１】
2018136139.tif 000003
【図２】
2018136139.tif 000004
【図３】
2018136139.tif 000005
【図４】
2018136139.tif 000006